(57)【要約】  態様および実施形態は、ワイヤレス通信ネットワークの制御ノードの方法と、ワイヤレス通信ネットワークの制御ノードと、その方法を実行するように動作可能なコンピュータ・プログラム製品とに関する。ワイヤレス通信ネットワークの制御ノードの方法は、ネットワークの内部で動作するユーザ機器がネットワーク内の少なくとも１つの他のユーザ機器に対する直接送信を行うことを意図していることを示す指示を受信するステップと、その直接送信のためにユーザ機器に対して割り付けられるべきリソースを決定するステップと、ネットワーク内の少なくとも１つの他のユーザ機器に対して割り付けられるべきリソースの指示を送信するステップとを含む。態様および実施形態は、デバイス・ツー・デバイス通信モードで動作するときに、ユーザ機器の消費電力を最適化する方法を提供することができることが理解されるであろう。記載される方法は、そのデバイスが、単一のＤ２Ｄスペクトル領域で動作しているか、または複数のＤ２Ｄスペクトル領域で動作しているかにかかわらず、デバイスの消費電力を改善する手段を提供することができる。
2017527205.tif 000002
【特許請求の範囲】
【請求項１】
ワイヤレス通信ネットワークの制御ノードの方法であって、
前記ネットワークの内部で動作するユーザ機器が前記ネットワーク内の少なくとも１つの他のユーザ機器に対する直接送信を行うことを意図していることを示す指示を受信するステップと、
前記直接送信のために前記ユーザ機器に対して割り付けられるべきリソースを決定するステップと、
前記ネットワーク内の前記少なくとも１つの他のユーザ機器によって使用される不連続受信レジームを決定するステップと、
不連続受信期間内に前記ネットワーク内の前記少なくとも１つの他のユーザ機器に対して割り付けられるべき前記リソースの指示を送信するステップと
を含む方法。
【請求項２】
前記ネットワークの内部で動作するユーザ機器が前記ネットワーク内の少なくとも１つの他のユーザ機器に対する直接送信を行うことを意図していることを示す指示を受信するステップは、
前記ユーザ機器からデバイス・ツー・デバイス送信を行うことへの関心の指示を受信するステップ
を含む、請求項１に記載の方法。
【請求項３】
前記ネットワークの内部で動作するユーザ機器が前記ネットワーク内の少なくとも１つの他のユーザ機器に対する直接送信を行うことを意図していることを示す指示を受信するステップは、
前記ユーザ機器からデバイス・ツー・デバイス・リソースに対する要求を受信するステップ
を含む、請求項１に記載の方法。
【請求項４】
前記ネットワーク内の前記少なくとも１つの他のユーザ機器に対して割り付けられるべき前記リソースの指示を送信するステップは、ブロードキャスト・メッセージを含む、請求項１乃至３のいずれか１項に記載の方法。
【請求項５】
前記ネットワーク内の前記少なくとも１つの他のユーザ機器に対して割り付けられるべき前記リソースの指示を送信するステップは、ページング・メッセージを含む、請求項１乃至４のいずれか１項に記載の方法。
【請求項６】
前記ページング・メッセージは複数の前記他のユーザ機器に送信され、その複数の前記他のユーザ機器は、デバイス・ツー・デバイス通信グループに関連付けられた単一のページング・グループ識別子によって識別可能である、請求項５に記載の方法。
【請求項７】
前記ページング・メッセージは複数の前記他のユーザ機器に送信され、その複数の前記他のユーザ機器は、デバイス・ツー・デバイス通信グループにそれぞれ関連付けられた複数のページング識別子によって識別可能である、請求項６に記載の方法。
【請求項８】
前記ネットワーク内の前記少なくとも１つの他のユーザ機器に対して割り付けられるべき前記リソースの指示を送信するステップは、前記他のユーザ機器へのレイヤ２シグナリングを含んでおり、前記レイヤ２シグナリングは、ＭＡＣ制御要素またはＭＡＣ  ＰＤＵを含む、請求項１乃至４のいずれか１項に記載の方法。
【請求項９】
前記ネットワーク内の前記少なくとも１つの他のユーザ機器に対して割り付けられるべき前記リソースの指示を送信するステップは、前記ネットワークに入るときのユーザ機器へのハンドオーバ・メッセージの中に前記指示を含めるステップを含む、請求項１乃至４のいずれか１項に記載の方法。
【請求項１０】
前記ネットワーク内の前記少なくとも１つの他のユーザ機器に対して割り付けられるべき前記リソースの指示を送信するステップは、送信について監視するべきデバイス・ツー・デバイス・スペクトルの指示、送信について監視すべきスペクトル内のデバイス・ツー・デバイス・リソースの指示、またはデバイス・ツー・デバイス・グループ識別子、のうちの１つまたは複数を含むリソースの指示を送信するステップを含む、請求項１乃至９のいずれか１項に記載の方法。
【請求項１１】
ワイヤレス通信ネットワークの制御ノードであって、
前記ネットワークの内部で動作するユーザ機器が前記ネットワーク内の少なくとも１つの他のユーザ機器に対する直接送信を行うことを意図していることを示す指示を受信するように動作可能な受信ロジックと、
前記直接送信のために前記ユーザ機器に対して割り付けられるべきリソースを決定し、前記ネットワーク内の前記少なくとも１つの他のユーザ機器によって使用される不連続受信レジームを決定するように動作可能な決定ロジックと、
不連続受信期間内に前記ネットワーク内の前記少なくとも１つの他のユーザ機器に対して割り付けられるべき前記リソースの指示を送信するように動作可能な送信ロジックと
を備えている制御ノード。
【請求項１２】
コンピュータ上で実行されると、請求項１乃至１０のいずれか１項に記載の方法を実行するように動作可能なコンピュータ・プログラム製品。
【発明の詳細な説明】
【技術分野】
【０００１】
本発明は、ワイヤレス通信ネットワークの制御ノードの方法と、ワイヤレス通信ネットワークの制御ノードと、その方法を実行するように動作可能なコンピュータ・プログラム製品とに関する。
【背景技術】
【０００２】
ワイヤレス電気通信システムが知られている。そのようなシステムにおいては、ユーザ機器やモバイル電話などのネットワーク接続可能デバイスまたはモバイル通信デバイスが、一般的に、ネットワーク・プロバイダによって提供される基地局と通信するように動作可能である。
【０００３】
知られているワイヤレス電気通信システムにおいては、セルとして知られているエリア内のネットワーク接続可能デバイスに無線カバレッジが提供される。基地局が各セルの中に置かれて無線カバレッジを提供する。一般的に、各セルの中のネットワーク接続可能デバイスは、基地局から情報およびデータを受信し、また基地局に対して情報およびデータを送信するように動作可能である。ネットワーク接続可能デバイスは、ワイヤレス通信システムを通してローミングする。いくつかの基地局が設けられ、地理的に分散されて、ネットワーク接続可能デバイスに対して広いカバレッジのエリアを提供する。
【０００４】
ユーザ機器が、基地局によってサービスされるエリアの内部にあるときに、関連する無線リンクを通じて、ユーザ機器と基地局との間に通信が確立されることが可能である。各基地局は、一般的に、サービスの地理的エリアの内部のいくつかのセクタをサポートする。一般的に、基地局内部の異なるアンテナが各自の関連するセクタをサポートし、また各基地局は、多くの場合、複数のアンテナを有する。
【０００５】
デバイス・ツー・デバイス通信（ｄｅｖｉｃｅ−ｔｏ−ｄｅｖｉｃｅ  ｃｏｍｍｕｎｉｃａｔｉｏｎ）を提供することが可能であることは認識されている。すなわち、ネットワーク接続可能デバイスが、基地局の必要なしに、互いに直接に送受信することが可能である場合がある。
【０００６】
ワイヤレス通信信号を使用したデバイス・ツー・デバイス通信では、信号の衝突を回避するために、可能な場合には、チャネル（信号がその上で送信されるべき時間−周波数リソースを含む）が、信号を送信するデバイスに割り付けられるべきである。
【０００７】
デバイス・ツー・デバイス通信は、様々な予期しない結果に影響されやすいことがある。そのような結果のいくつかに対処することが望ましい。
【発明の概要】
【課題を解決するための手段】
【０００８】
第１の態様は、ワイヤレス通信ネットワークの制御ノードの方法であって、ネットワークの内部で動作するユーザ機器が、ネットワーク内の少なくとも１つの他のユーザ機器に対する直接送信を行うことを意図していることを示す指示を受信するステップと、その直接送信のためにユーザ機器に対して割り付けられるべきリソースを決定するステップと、ネットワーク内の少なくとも１つの他のユーザ機器に対して割り付けられるべきリソースの指示を送信するステップとを含む方法を提供している。
【０００９】
第１の態様は、デバイス・ツー・デバイス・ネットワークが、様々な問題の影響を受ける可能性があることを認識している。デバイス・ツー・デバイス（Ｄ２Ｄ：Ｄｅｖｉｃｅ−ｔｏ−ｄｅｖｉｃｅ）通信は、Ｄ２Ｄ候補を発見し、またＤ２Ｄ通信を確立するためにネットワークの内部で使用される方法を必要とする可能性がある。デバイス・ツー・デバイス通信は、特に公衆安全シナリオおよび非公衆安全シナリオに適用可能であることがある。
【００１０】
デバイス・ツー・デバイス通信の送信方法
第１の態様は、２つのタイプのリソース割り付けスキームが、デバイス・ツー・デバイス通信レジームを支援して使用され得ることを認識している。１つのリソース割り付けスキームは、モード１リソース割り付けスキームとして知られている。一般的に、モード１は、送信ネットワーク接続可能デバイス（例えば、ユーザ機器）が、基地局によってサポートされる無線カバレッジの領域の中にあるときに使用される。このモードのリソース割り付けは、送信デバイスが、それが行うことを意図している各送信または一連の送信のために、ネットワークまたは制御ネットワーク・ノードに無線リソースを要求することを必要とする。
【００１１】
モード２リソース割り付けスキームは、送信ユーザ機器が基地局によってサポートされるカバレッジ領域の内部にあるか、または無線基地局によってサポートされるネットワーク・カバレッジの完全に外側のいずれかにあるときに、一般的に使用される。モード２は、送信ユーザ機器が、それが行う各送信に関連して、無線リソースのプールからリソースを自律的に選択するように動作可能であるように、動作する。無線リソースのプールは、ネットワークによってあらかじめ構成され、または提供される可能性がある。第２のモードのオペレーションは、より「競合を起こしやすい」。これは、理解されるように、１つのデバイスが、別のデバイスと同時に送信するために同じ無線リソースを選択するように動作し得る可能性があるためである。
【００１２】
デバイス・ツー・デバイス通信の受信
ネットワーク内で実装される割り付けスキームにかかわらず、デバイス・ツー・デバイス通信技法に参加するデバイスは、Ｄ２Ｄ構成における他のデバイスによって行われる送信を受信するように動作可能である必要がある。結果として、ユーザ機器またはＤ２Ｄ対応デバイスは、一般的に、あらゆるすべての可能性のあるＤ２Ｄ送信を監視するように動作可能である。Ｄ２Ｄで動作しているユーザ機器には、一般的に、リッスンするべき無線リソースのプールが提供される。そのプールは、あらかじめ構成されている（ユーザ機器が基地局カバレッジ領域の外側にあるときに使用される）か、またはネットワークによって提供される可能性がある（例えば、デバイスがあるカバレッジ領域内にあるか、または特定のカバレッジ領域内にあるとき）かのいずれかである。アイドル・モードのユーザ機器がＤ２Ｄネットワークの内部でサポートされる場合、リッスンするべき可能性のあるリソースのプールは、一般的に、ＳＩＢ／Ｌ３／ＲＲＣブロードキャスト・シグナリングの形で提供される。受信デバイスが、Ｄ２Ｄ受信のために接続されたモードにある必要がある場合、デバイスがリッスンする必要がある無線リソースのプールは、一般的に、Ｌ３／ＲＲＣ専用シグナリングによって提供される。
【００１３】
第１の態様は、信号を受信するように動作可能なそのようなユーザ機器が、関心のあるグループに関連した任意のデータについて全体の受信プールを絶えず監視する必要があることを認識している。第１の態様は、絶え間ない監視が、多くの無線リソースと、かなりのバッテリ・リソースとを消費する可能性があることを認識している。第１の態様は、そのようなデバイスが、複数のＤ２Ｄスペクトルの上で任意のＤ２Ｄデータを絶えずリッスンする必要があるというシナリオを回避することができれば、バッテリ節約が行われる可能性があることを認識している。第１の態様は、ユーザ機器がセルラー方式カバレッジの内部にある間の消費電力を改善するようにＤ２Ｄ受信技法を最適化できることを認識している。
【００１４】
第１の態様は、Ｄ２Ｄネットワークにおいて、受信デバイスがＤ２Ｄ送信についてのＤ２Ｄスペクトルのスケジューリング割り当てリソースを絶えず監視する必要がある可能性があるようなオペレーションにすることができることを認識している。態様は、スケジューリング割り当てのリソース・プールが多くの場合不連続であり、そのため、ユーザ機器がすべての時間リソースを絶えず監視する必要がないので、ユーザ機器の電力消費を低下させられることをさらに認識することができる。
【００１５】
複数のＤ２Ｄスペクトルの場合には、受信ユーザ・デバイスが、全体のデバイスの消費電力に対して特に有害である可能性がある複数のＤ２Ｄスペクトルのスケジューリング割り当てリソースを監視する必要がある可能性がある。
【００１６】
第１の態様は、ワイヤレス通信ネットワークの制御ノードの方法を提供する。この方法は、Ｄ２Ｄサブネットワークが動作している領域において無線カバレッジを提供するアンブレラ基地局によって実行されることもある。本方法は、例えば、ネットワークの内部の適切な無線基地局によって実行することができる。他の実施形態は、本方法が、アクティブなＤ２Ｄネットワークの内部の複数のデバイスの内部のネットワーク・ヘッド・デバイスによって実行されることを提供することができる。
【００１７】
本方法は、ネットワークの内部で動作するユーザ機器が、ネットワーク内の少なくとも１つの他のユーザ機器に対する直接送信を行うことを意図していることを示す指示を受信するステップを含むことができる。それに応じて、本方法は、デバイス・ツー・デバイス・ネットワークがネットワークの領域内でアクティブであるときに適用することができる。Ｄ２Ｄネットワークがオペレーション中でない場合、本明細書において説明される態様および実施形態による方法の必要性が存在しない可能性もある。さらに、Ｄ２Ｄネットワークがアクティブでない場合には、可能性のある受信デバイスが、Ｄ２Ｄリソースの上の送信についての絶え間ない監視を防止するように動作可能であることを保証することが可能であることもある。すなわち、送信デバイスによって使用されるべきリソースについての特定の指示が存在していない限り、これらの可能性のある受信デバイスは、すべての可能な通信リソースの絶え間ない監視を防止することにより、バッテリを節約することができる。
【００１８】
本方法は、直接送信のためにユーザ機器に割り付けられるべきリソースを決定するステップを含むことができる。この決定は、リソースのサブセットが、Ｄ２Ｄ通信のためのネットワークによって割り当てられてきているかどうかを評価するステップを含むことができる。決定は、他のユーザ機器に対する直接送信に参加するユーザ機器に対するリソースの特定のアクティブな割り付けを含むことができる。
【００１９】
本方法は、ネットワーク内の少なくとも１つの他のユーザ機器に対して割り付けられるべきリソースの指示を送信するステップを含むことができる。したがって、他のユーザ機器は、送信デバイスが送信を行う可能性が高いリソースだけを監視するように動作することができ、それにより、より効率の高い受信デバイス・オペレーションを可能にする。
【００２０】
一実施形態においては、ネットワークの内部で動作するユーザ機器が、ネットワーク内の少なくとも１つの他のユーザ機器に対する直接送信を行うことを意図していることを示す指示を受信するステップは、ユーザ機器からデバイス・ツー・デバイス送信を行うことへの関心の指示を受信するステップを含んでいる。それに応じて、リソースを明示的に要求する前に、ユーザ機器は、制御ノードに対するメッセージングを経由して、それが、近いうちにリソースを明示的に要求する予定であることを示すことができる。その事前要求メッセージングは、第１の態様の方法を開始するトリガとして使用されることも可能である。
【００２１】
一実施形態においては、ネットワークの内部で動作するユーザ機器が、ネットワーク内の少なくとも１つの他のユーザ機器に対する直接送信を行うことを意図していることを示す指示を受信するステップは、ユーザ機器からデバイス・ツー・デバイス・リソースに対する要求を受信するステップを含んでいる。それに応じて、デバイスが、デバイス・ツー・デバイス送信を行うリソースの割り付けを明示的に要求する場合、第１の態様の制御方法が開始されることができる。
【００２２】
一実施形態においては、ネットワークの内部で動作するユーザ機器が、ネットワーク内の少なくとも１つの他のユーザ機器に対する直接送信を行うことを意図していることを示す指示を受信するステップは、ネットワークの内部のアクティブなデバイス・ツー・デバイス・ユーザ機器グループの指示を受信するステップを含んでいる。それに応じて、例えば、基地局によってサポートされる無線カバレッジの領域内に非アクティブまたはアクティブなデバイス・ツー・デバイス・ユーザ・グループが存在すると決定される場合に、制御方法が、例えば、基地局において開始されることもある。同様に、デバイス・ツー・デバイス・グループの中のデバイスが、それが、デバイス・ツー・デバイス送信を行いたいと望む、またはデバイス・ツー・デバイス送信を行いたいと望む可能性が高いことを基地局または他のネットワーク制御ノードに対して示す場合に、第１の態様の制御方法が開始されることもある。
【００２３】
一実施形態においては、ネットワーク内の少なくとも１つの他のユーザ機器に対して割り付けられるべきリソースの指示を送信するステップは、ブロードキャスト・メッセージを含んでいる。それに応じて、ネットワーク内のすべてのユーザ機器は、どのリソースが、Ｄ２Ｄ送信について監視され得るかを決定するように動作可能とすることができる。一実施形態においては、ブロードキャスト・メッセージは、システム情報ブロードキャスト（ＳＩＢ：Ｓｙｓｔｅｍ  Ｉｎｆｏｒｍａｔｉｏｎ  Ｂｒｏａｄｃａｓｔ）メッセージを含んでいる。それに応じて、ネットワーク内のすべてのユーザ機器は、どのリソースが、Ｄ２Ｄ送信について監視され得るかを決定するように動作可能とすることができる。
【００２４】
一実施形態においては、ネットワーク内の少なくとも１つの他のユーザ機器に対して割り付けられるべきリソースの指示を送信するステップは、ページング・メッセージまたはＰＤＣＣＨメッセージを含む。ページング・タイプ・メッセージング・スキームの使用は、ブロードキャスト・メッセージが、ブロードキャスト・タイプ信号を経由して、メッセージの内部で動作する選択された複数のユーザ機器に送信されることを可能にすることができる。一実施形態においては、ページング・メッセージは、複数の他のユーザ機器に送信され、その複数の他のユーザ機器は、デバイス・ツー・デバイス通信グループに関連付けられた単一のページング・グループ識別子によって識別可能である。一実施形態においては、ページング・メッセージは、複数の他のユーザ機器に送信され、その複数の他のユーザ機器は、デバイス・ツー・デバイス通信グループにそれぞれ関連付けられた複数のページング識別子によって識別可能である。いくつかの実施形態においては、指示は、ＰＤＣＣＨメッセージを使用して送信されることもある。そのＰＤＣＣＨメッセージは、共通のＲＮＴＩを有するＰＤＣＣＨを含むことができ、その共通のＲＮＴＩは、Ｄ２Ｄ  ＲＮＴＩまたはＤ２Ｄグループ特有のＲＮＴＩを含むことができる。
【００２５】
一実施形態においては、ネットワーク内の少なくとも１つの他のユーザ機器に対して割り付けられるべきリソースの指示を送信するステップは、他のユーザ機器へのレイヤ２シグナリングを含んでおり、そのレイヤ２シグナリングは、ＭＡＣ制御要素またはＭＡＣ  ＰＤＵを含んでいる。それに応じて、ユーザ機器は、適切な効率のよいメッセージングによって通知されることもある。
【００２６】
一実施形態においては、ネットワーク内の少なくとも１つの他のユーザ機器に対して割り付けられるべきリソースの指示を送信するステップは、ネットワークに入るときのユーザ機器へのハンドオーバ・メッセージの中にその指示を含めるステップを含んでいる。それに応じて、ユーザ機器が、Ｄ２Ｄグループがアクティブであるカバレッジ領域の中へと移動するときに、第１の態様の方法を使用して、Ｄ２Ｄ送信について監視すべきリソースについてそのようなデバイスに通知することができる。
【００２７】
一実施形態においては、ネットワーク内の少なくとも１つの他のユーザ機器に対して割り付けられるべきリソースの指示を送信するステップは、送信について監視するべきデバイス・ツー・デバイス・スペクトルの指示、デバイス・ツー・デバイス周波数、送信について監視すべきスペクトル内のデバイス・ツー・デバイス・リソースの指示、またはデバイス・ツー・デバイス・グループ識別子、のうちの１つまたは複数を含むリソースの指示を送信するステップを含む。
【００２８】
一実施形態においては、本方法は、ネットワーク内の少なくとも１つの他のユーザ機器によって使用される不連続受信レジームを決定するステップと、不連続受信期間内に前記指示を送信するステップとを含む。それに応じて、指示は、次に使用可能な不連続受信がウェークアップする機会に送信することができる。その不連続受信レジームは、専用のデバイス・ツー・デバイスがウェークアップする機会とすることができる。不連続受信レジームで動作する場合に、ユーザ機器は、送信された指示を受信した後に、ユーザが指示されたリソース上のＤ２Ｄ送信を監視するためにウェークアップすることができるように、動作可能とすることができる。
【００２９】
一実施形態においては、送信された指示は、ユーザ機器と、他のユーザ機器との両方についての共通の指示を含むことができる。そのための、Ｄ２Ｄユーザ機器を送信するステップと受信するステップとに同じ指示が使用されることが可能である。すなわち、送信ユーザ機器に対してリソースを割り付けるメッセージと、どのリソースを送信について監視するべきかを他のユーザ機器に伝えるメッセージとは、両タイプのユーザ機器によって理解できる同じメッセージを含むことができる。
【００３０】
第２の態様は、コンピュータの上で実行されると、第１の態様の方法を実行するように動作可能なコンピュータ・プログラム製品を提供する。
【００３１】
第３の態様は、ネットワークの内部で動作するユーザ機器がネットワーク内の少なくとも１つの他のユーザ機器に対する直接送信を行うことを意図していることを示す指示を受信するように動作可能な受信ロジックと、直接送信のためにユーザ機器に対して割り付けられるべきリソースを決定するように動作可能な決定ロジックと、ネットワーク内の少なくとも１つの他のユーザ機器に対して割り付けられるべきリソースの指示を送信するように動作可能な送信ロジックとを備えているワイヤレス通信ネットワークの制御ノードを提供する。
【００３２】
一実施形態においては、受信ロジックは、ユーザ機器からデバイス・ツー・デバイス送信を行うことへの関心の指示を受信するように動作可能である。
【００３３】
一実施形態においては、受信ロジックは、ユーザ機器からデバイス・ツー・デバイス・リソースに対する要求を受信するように動作可能である。
【００３４】
一実施形態においては、受信ロジックは、ネットワークの内部のアクティブなデバイス・ツー・デバイス・ユーザ機器グループの指示を受信するように動作可能である。
【００３５】
一実施形態においては、ネットワーク内の少なくとも１つの他のユーザ機器に対して割り付けられるべきリソースの指示を送信するように動作可能な送信ロジックは、ブロードキャスト・メッセージを送信するように動作可能である。
【００３６】
一実施形態においては、ブロードキャスト・メッセージは、システム情報ブロードキャスト（ＳＩＢ）メッセージを含んでいる。
【００３７】
一実施形態においては、ネットワーク内の少なくとも１つの他のユーザ機器に対して割り付けられるべきリソースの指示を送信するように動作可能な送信ロジックは、ページング・メッセージを送信するように動作可能である。
【００３８】
一実施形態においては、ページング・メッセージは、複数の他のユーザ機器に送信され、その複数の他のユーザ機器は、デバイス・ツー・デバイス通信グループに関連付けられた単一のページング・グループ識別子によって識別可能である。
【００３９】
一実施形態においては、ページング・メッセージは、複数の他のユーザ機器に送信され、その複数の他のユーザ機器は、デバイス・ツー・デバイス通信グループにそれぞれ関連付けられた複数のページング識別子によって識別可能である。
【００４０】
一実施形態においては、ネットワーク内の少なくとも１つの他のユーザ機器に対して割り付けられるべきリソースの指示を送信するように動作可能な送信ロジックは、他のユーザ機器にレイヤ２シグナリングを送信するように動作可能であり、そのレイヤ２シグナリングは、ＭＡＣ制御要素またはＭＡＣ  ＰＤＵを含んでいる。
【００４１】
一実施形態においては、ネットワーク内の少なくとも１つの他のユーザ機器に対して割り付けられるべきリソースの指示を送信するように動作可能な送信ロジックは、ネットワークに入るときのユーザ機器へのハンドオーバ・メッセージの中にその指示を含めるように動作可能である。
【００４２】
一実施形態においては、ネットワーク内の少なくとも１つの他のユーザ機器に対して割り付けられるべきリソースの指示を送信するように動作可能な送信ロジックは、リソースの指示を送信するように動作可能であり、その指示は、送信について監視すべきデバイス・ツー・デバイス・スペクトルの指示、送信について監視すべきスペクトルの内部のデバイス・ツー・デバイス・リソースの指示、またはデバイス・ツー・デバイス・グループ識別子、のうちの１つまたは複数を含んでいる。
【００４３】
第４の態様は、ワイヤレス通信ネットワークのユーザ機器の方法であって、前記ネットワークの内部の他のユーザ機器に対して直接に送信し、または受信する動作のためにユーザ機器を構成するステップと、ネットワーク内の少なくとも１つの他のユーザ機器との直接通信のために送信ユーザ機器に対して割り付けられるべきリソースの指示の受信について監視するステップとを含む方法を提供する。
【００４４】
第５の態様は、コンピュータの上で実行されると、第４の態様の方法を実行するように動作可能なコンピュータ・プログラム製品を提供する。
【００４５】
第６の態様は、ワイヤレス通信ネットワークのユーザ機器であって、前記ネットワークの内部で他のユーザ機器に対して直接に送信し、または受信する動作のためにユーザ機器を構成するように動作可能な構成ロジックと、ネットワーク内の少なくとも１つの他のユーザ機器との直接通信のための送信ユーザ機器に対して割り付けられるべきリソースの指示の受信について監視するように動作可能な監視ロジックとを備えるユーザ機器を提供する。
【００４６】
さらなる特定の態様および好ましい態様は、添付の独立請求項および従属請求項の形で提示される。従属請求項の特徴は、必要に応じて、また特許請求の範囲において明示的に提示される組合せ以外の組合せの形で、独立請求項の特徴と組み合わされることも可能である。
【００４７】
装置の特徴が、ある機能を提供するように動作可能であると説明される場合には、これは、その機能を提供するか、またはその機能を提供するように適合もしくは構成された装置の特徴を含むことが理解されるであろう。
【００４８】
次に、本発明の実施形態について、添付の図面を参照してさらに説明する。
【図面の簡単な説明】
【００４９】
【図１】一構成による例示のシグナリングのフローを概略的に示す図である。
【発明を実施するための形態】
【００５０】
実施形態をより詳細に考察する前に、最初に概説を提供する。
【００５１】
本明細書において説明される態様、実施形態、および構成は、所与のデバイスを対象とする任意の直接Ｄ２Ｄ送信が存在するかどうかについての指示を提供する受信ユーザ機器に、ネットワークが情報を提供するように動作可能であるようなものである。いくつかの実施形態においては、Ｄ２Ｄスペクトルの形で行われている１対Ｍのグループ送信が存在しているかどうかに関しての情報が受信デバイスに対して提供される。いくつかの構成においては、その情報は、ＲＲＣまたはＬ３ブロードキャスト・シグナリングを経由して、またはレイヤ１もしくはレイヤ２のブロードキャスト・シグナリングを経由して、受信デバイスに提供される。そのような指示が、受信デバイスによって受信される場合、そのときにはその受信デバイスは、Ｄ２Ｄスペクトルのスケジューリング割り当てリソースを監視することになる。結果として、ユーザ機器の消費電力を低減させることが可能であることもある。そのような指示を受信デバイスに提供するために使用される特定のシグナリング方法は、以下でより詳細に説明される。使用される特定のシグナリング方法にかかわらず、受信デバイスに対して送信される指示は、例えば定期的に反復されることが可能であり、それによって、セルの中へと移動する、またはグループＤ２Ｄ送信グループに参加する新しいユーザ機器が、サービスを受信することを可能にする。
【００５２】
実施形態は、デバイス・ツー・デバイス・ネットワークが、モード１送信で動作している場合には、送信デバイスが、Ｄ２Ｄ送信のためのＤ２Ｄリソースを要求するためにＲＲＣ接続状態にあることを認識している。いくつかの例においては、Ｄ２Ｄリソースについてのどの特定の要求にも先立って、送信ユーザ機器は、ネットワークに対して、Ｄ２Ｄ送信への関心の指示を提供するように動作可能とすることができる。実施形態は、関心の指示、またはＤ２Ｄリソースを求める特定の要求が、トリガとして使用されて、受信する可能性のあるユーザ機器に、対応するＤ２Ｄスペクトルの監視を開始するように合図できることを認識している。
【００５３】
そのようなスキームがモード２送信構成で機能するために、モード２送信デバイスは、一般的に、基地局のカバレッジ領域の内部にあり、またその対象となるモード２送信に関してネットワークに通知するためにＲＲＣ接続状態に入る必要があることが、さらに理解されるであろう。通知するこのステップは、デバイスが、システム情報ブロードキャスト・メッセージ（ＳＩＢ）を経由してそのようなリソース・プールを受信するのではなくて、専用シグナリングの上でモード２送信リソース・プールを割り付けられるときに行うことができる。そのＤ２Ｄ送信に関するモード２送信デバイスからの情報の受信がトリガとして使用されて、対応するＤ２Ｄスペクトルを受信デバイスに通知することができる。
【００５４】
実施形態は、アイドル・モードでセルに入る受信デバイスが、例えば、セルの内部の基地局によって送信されるシステム情報ブロードキャスト・メッセージで、Ｄ２Ｄシグナリング・スペクトルのどの部分を監視するべきかに関する適切な指示を受信するように動作可能とすることができることを認識している。
【００５５】
実施形態は、接続モードでセルに入る受信デバイスには、Ｄ２Ｄスペクトルでの通信をどこで探すべきかに関する指示がターゲット・セルからのハンドオーバ・コマンドの内部に含まれることもあり、または成功したハンドオーバの後にそのデバイスによって受信されるシステム情報ブロードキャスト・メッセージの中に含まれ得るように、実施形態が規定できることを認識している。
【００５６】
いくつかの実施形態によれば、受信Ｄ２Ｄデバイスは、接続モードにあるかまたはアイドル・モードにあるかにかかわらず、すでにセルのカバレッジ内で動作しており、レイヤ１シグナリングにおけるＤ２Ｄ通信について監視すべきリソースに関する１つまたは複数の指示を受信する手段が提供されている可能性があり、例えば、マッピングが、（ｅ）ＰＤＣＣＨの内部に含まれる。
【００５７】
いくつかの実施形態によれば、適切なレイヤ１シグナリングは、ページングのために使用されるレイヤ１シグナリングに類似したものであってよく、ここでは、共通のＲＮＴＩ（例えば、ページング−ＲＮＴＩ）を使用して、適切なＤ２Ｄデバイスと通信することができる。とりわけ、いくつかの実施形態は、Ｄ２Ｄ  ＲＸ−ＲＮＴＩなどの共通のＲＮＴＩを使用して、ユーザ機器にそのような指示を通信することができる。すなわち、いくつかの実施形態においては、グループＲＮＴＩが提供されて、適切な指示の送信のために使用される。いくつかの実施形態においては、個別のＲＮＴＩのグループを使用して、適切なＤ２Ｄデバイス・グループに対して信号で伝えることができる。いずれの場合にも、適切な指示の受信のすぐ後に、各デバイスは、適切なやり方で、Ｄ２Ｄスペクトルの監視を開始するように動作可能とすることができる。アイドル・モードのユーザ機器またはデバイスが、ページング中のみに、不連続受信、または新しく規定された不連続受信インスタンスを監視するように動作可能とすることができることが、理解されるであろう。
【００５８】
いくつかの実施形態によれば、Ｄ２Ｄグループ特有のＲＮＴＩなど、複数の共通のＲＮＴＩが、Ｄ２Ｄスペクトルまたはグループ、あるいはＤ２Ｄスペクトルまたはグループの組の指示のために使用されることもある。適切なマッピングが、例えば、何らかのＬ３シグナリング（ＳＩＢまたは専用のダウンリンク・シグナリング）で提供されることもある。
【００５９】
いくつかの実施形態によれば、レイヤ２シグナリングが、例えば、ＭＡＣ制御要素、またはＭＡＣ  ＰＤＵに送信される可能性がある。そのレイヤ２シグナリングは、受信デバイスが、Ｄ２Ｄスペクトル・リソースのどの部分が監視されるべきかを決定するための適切な指示を含むことができる。
【００６０】
いくつかの実施形態によれば、モード１送信を使用した各Ｄ２Ｄ送信ユーザ機器または各Ｄ２Ｄグループに、Ｄ２Ｄ  ＲＮＴＩプール内のＤ２Ｄ  ＲＮＴＩを割り当てられることができる。そのＤ２Ｄ  ＲＮＴＩは、送信Ｄ２Ｄリソース、例えば、送信Ｄ２Ｄ  ＳＡリソースを割り付けるために使用されることもある。適切なＲＮＴＩプールが、ブロードキャスト・シグナリング、例えばＳＩＢの形で、または専用シグナリングを経由して提供される可能性がある。そのような実施形態によれば、受信デバイスは、Ｄ２Ｄ  ＲＮＴＩプール内で提供されたＤ２Ｄ  ＲＮＴＩを検出した場合にのみ、サービング周波数のＤ２Ｄ受信リソースの監視を開始することができる。
【００６１】
態様および実施形態は、さらに、Ｄ２Ｄ周波数またはグループの監視を防止し、または停止させる方法を提供することが可能であること、および、類似したタイプの指示が、Ｄ２Ｄ周波数またはグループを取り除いて使用され得ることを認識している。
【００６２】
ｅＮＢの内部のセルのためのセル間Ｄ２Ｄ通信をサポートするために、セルは、Ｄ２Ｄ受信デバイスに提供される指示をｅＮＢ内の他のセルに提供するように動作することができる。ｅＮＢ間構成の場合には、２つのｅＮＢの間のＸ２シグナリングを使用して適切な情報を交換することができる。
【００６３】
いくつかの実施形態によれば、例えば、ＲＲＣまたはＬ３のブロードキャスト・シグナリング（例えば、ＳＩＢメッセージ）と、Ｌ３／ＲＲＣ専用シグナリング（例えば、ＲＲＣ接続再構成メッセージ）と、Ｌ１／Ｌ２シグナリングとの形で提供される指示は、監視すべきＤ２Ｄスペクトル、監視すべき様々なＤ２ＤスペクトルのＤ２Ｄリソース、グループ識別子、またはこれらのパラメータの組合せ、のうちの１つまたは複数を含むことができることが理解されるであろう。
【００６４】
図１は、一構成による方法を概略的に示すものである。とりわけ、図１は、いくつかの実施形態を支援して使用される例示のメッセージング・フローを示すものである。モード１送信デバイスがＤ２Ｄ送信を行うことへの関心を示すことができる方法を提供することができる。セルは、任意のメッセージングについて使用可能なＤ２Ｄリソースの内部でどこを見るべきかについての指示の受信についてアイドル・モード・デバイスと接続モード・デバイスとの両方に警告するために、システム情報ブロードキャスト・メッセージの形で受信Ｄ２Ｄデバイスに指示を送信し、またはすべてのページングの場合もしくはＤ２Ｄの場合（ＤＲＸ構成の場合）は、Ｌ１／Ｌ２シグナリングを送信するように動作可能とすることができる。送信デバイスからＤ２Ｄメッセージングを受信するように構成されたこれらのデバイスは、次いで、送信使用デバイスが送信を行うことへの関心を示している領域内で、Ｄ２Ｄスペクトルを監視するように動作することができる。
【００６５】
例えば、モード１送信デバイスが、送信を行うことに関心を示さない場合に、Ｄ２Ｄネットワーク通信レジームが非アクティブにされることもある。結果として、セルは、ブロードキャスト・メッセージ（例えば、ＳＩＢ）の中で、または専用のレイヤ１／レイヤ２メッセージング内部で、指示を送信せず、かつ／または一部のＤ２Ｄスペクトルまたは全部のＤ２Ｄスペクトルに対する監視を停止する必要についてすべての受信デバイスに警告するように動作可能とすることができる。その結果として、受信デバイスは、一部のＤ２Ｄスペクトルまたは全部のＤ２Ｄスペクトルに対する監視を停止させるように動作可能とすることができる。
【００６６】
態様および実施形態は、デバイス・ツー・デバイス通信モードで動作するときに、ユーザ機器の消費電力を最適化する方法を提供できることが理解されるであろう。説明される方法は、そのデバイスが、単一のＤ２Ｄスペクトル領域で動作しているか、または複数のＤ２Ｄスペクトル領域で動作しているかにかかわらず、デバイスの消費電力を改善する手段を提供することができる。
【００６７】
当業者なら、様々な上記に説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むことも意図しており、このプログラム・ストレージ・デバイスは、マシン読み取り可能、またはコンピュータ読み取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読み取り可能なデジタル・データ・ストレージ媒体とすることができる。それらの実施形態はまた、上記で説明された方法の前記ステップを実行するようにプログラムされるコンピュータを対象として含むことも意図している。
【００６８】
「プロセッサ」または「ロジック」としてラベル付けされた任意の機能ブロックを含めて、図面の中に示される様々な要素についての機能は、専用のハードウェア、ならびに適切なソフトウェアに関連してソフトウェアを実行することができるハードウェアの使用を通して提供されてもよい。プロセッサによって提供されるときに、それらの機能は、単一の専用のプロセッサによって、単一の共用のプロセッサによって、またはそれらのうちのいくつかが共用され得る複数の個別のプロセッサによって提供されてもよい。さらに、「プロセッサ」または「制御装置」、あるいは「ロジック」という用語の明示的な使用は、ソフトウェアを実行することができるハードウェアだけを排他的に意味するように解釈されるべきではなく、また限定することなく、デジタル信号プロセッサ（ＤＳＰ：ｄｉｇｉｔａｌ  ｓｉｇｎａｌ  ｐｒｏｃｅｓｓｏｒ）のハードウェアと、ネットワーク・プロセッサ、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）、ソフトウェアを記憶するためのリード・オンリー・メモリ（ＲＯＭ：ｒｅａｄ  ｏｎｌｙ  ｍｅｍｏｒｙ）、ランダム・アクセス・メモリ（ＲＡＭ：ｒａｎｄｏｍ  ａｃｃｅｓｓ  ｍｅｍｏｒｙ）、および不揮発性ストレージを暗黙のうちに含むことができる。他のハードウェアが、従来のものおよび／またはカスタムのものもまた、含められる可能性がある。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも、実行される可能性があり、特定の技法は、文脈からより具体的に理解されるように、実装者によって選択可能である。
【００６９】
本明細書における任意のブロック図は、本発明の原理を実施する実例となる回路の概念図を表すことが、当業者によって理解されるべきである。同様に、任意のフロー・チャート、流れ図、状態遷移図、および擬似コードなどは、コンピュータ読み取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【００７０】
説明および図面は、単に本発明の原理を示しているにすぎない。したがって、当業者なら、本明細書において明示的に説明されても、または示されてもいないけれど、本発明の原理を実施し、また本発明の精神および範囲の内部に含まれる様々な構成を考案することができるようになることが理解されるであろう。さらに、本明細書において列挙されるすべての例は、主として、本発明者（単数または複数）が当技術を推進することに寄与している本発明の原理および概念を理解するに際して、読者を支援する教育上の目的のためにすぎないように明示的に意図され、またそのような具体的に列挙された例および状態だけに限定することのないように解釈されるべきである。さらに、本発明の原理、態様および実施形態を列挙している本明細書におけるすべての記述、ならびにその特定の例は、その同等物を包含することを意図している。
【図１】
2017527205.tif 000003
【国際調査報告】
2017527205.tif 000004
2017527205.tif 000005
2017527205.tif 000006